(57)【要約】【課題】証券発注の判断の基となる市況情報を提示する画面を、ユーザ毎にカスタマイズさせ、市況情報をより見やすい画面にて提示するための証券発注サーバ及び証券発注プログラムを提供する。【解決手段】証券発注サーバ１は、ＣＰＵ１６、市況情報記憶手段１７、フレーム条件記憶手段１８、背景条件記憶手段１９及び証券発注情報記憶手段２０等を備え、ＣＰＵ１６は、フレーム色を変化させる条件を設定するフレーム条件設定手段１６ａ、背景色を変化させる条件を設定する背景条件設定手段１６ｂ、市況情報記憶手段１７を管理する市況情報管理手段１６ｃ、新たな市況状況を受信するとフレーム色を変化するか判定するフレーム条件判定手段１６ｄ、新たな市況状況を受信すると背景色を変化するか判定する背景条件判定手段１６ｅ、板情報作成手段１６ｆ、板画面提示手段１６ｇ及び証券発注手段１６ｈ等を備える。【選択図】    図２
2009271856.tif 000002
【特許請求の範囲】
【請求項１】
外部より受信する株銘柄毎の情報を表す市況情報をクライアント端末に提示し、前記クライアント端末から要求される証券売買の発注処理を行う証券発注サーバであって、
前記クライアント端末に提示する前記市況情報を表す画面のフレーム色を変化させるためのフレーム条件を記憶するフレーム条件記憶手段と、
前記クライアント端末に前記フレーム条件を設定させ、設定された前記フレーム条件を前記フレーム条件記憶手段に格納するフレーム条件設定手段と、
前記外部より受信した市況情報が、前記フレーム条件記憶手段に格納された前記フレーム条件に一致するかを判定し、前記フレーム条件に一致する場合、前記画面のフレーム色を、前記フレーム条件に設定されるフレーム色に変化させるフレーム条件判定手段
とを備えることを特徴とする証券発注サーバ。
【請求項２】
前記クライアント端末に提示する前記市況情報を表す画面の背景色を変化させるための背景条件を記憶する背景条件記憶手段と、
前記クライアント端末に前記背景条件を設定させ、設定された前記背景条件を前記背景条件記憶手段に格納する背景条件設定手段と、
前記外部より受信した市況情報が、前記背景条件記憶手段に格納された前記背景条件に一致するかを判定し、前記背景条件に一致する場合、前記画面の背景色を、前記背景条件に設定される背景色に変化させる背景条件判定手段
とを更に備えることを特徴とする請求項１に記載の証券発注サーバ。
【請求項３】
外部より受信する株銘柄毎の情報を表す市況情報をクライアント端末に提示し、前記クライアント端末から要求される証券売買の発注処理を行うコンピュータにおいて、
前記クライアント端末に提示する前記市況情報を表す画面のフレーム色を変化させるためのフレーム条件をフレーム条件記憶手段に格納する命令と、
前記クライアント端末に前記フレーム条件を設定させ、設定された前記フレーム条件を前記フレーム条件記憶手段に格納する命令と、
前記外部より受信した市況情報が、前記フレーム条件記憶手段に格納された前記フレーム条件に一致するかを判定し、前記フレーム条件に一致する場合、前記画面のフレーム色を、前記フレーム条件に設定されるフレーム色に変化させる命令
とを実行させることを特徴とする証券発注プログラム。
【請求項４】
前記クライアント端末に提示する前記市況情報を表す画面の背景色を変化させるための背景条件を背景条件記憶手段に格納する命令と、
前記クライアント端末に前記背景条件を設定させ、設定された前記背景条件を前記背景条件記憶手段に格納する命令と、
前記外部より受信した市況情報が、前記背景条件記憶手段に格納された前記背景条件に一致するかを判定し、前記背景条件に一致する場合、前記画面の背景色を、前記背景条件に設定される背景色に変化させる命令
とを更に実行させることを特徴とする請求項３に記載の証券発注プログラム。
【発明の詳細な説明】
【技術分野】
【０００１】
本発明は、ユーザ等に端末を介して証券を発注させるシステムにおいて、発注の判断の基となる市況情報を提示する画面を、ユーザ毎にカスタマイズさせ、市況情報をより見やすい画面にて提示するための証券発注サーバ及び証券発注プログラムに関する。
【背景技術】
【０００２】
近年、証券取引の殆どは専用回線、インターネット等を介した電子取引において行われている。ディーラやデイトレーダ等の一日に何度も証券取引を行う者にとっては、売買決定の一要素として、銘柄の価格変動を瞬時に把握することは重要である。このため、従来技術においては、証券取引の発注処理において、銘柄情報（始値、高値、安値、現在値、前日比等）の値をユーザのクライアント端末等に提示し、ユーザに売買決定を促す手法が取られていた（特許文献１、特許文献２参照）。
【特許文献１】特開２００７−２０６９０８号公報
【特許文献２】特開平５−２７７００号公報
【発明の開示】
【発明が解決しようとする課題】
【０００３】
しかしながら、特許文献１及び特許文献２では、銘柄情報として値（文字）のみが表示されており、この表示方法では複数銘柄を同時に監視する等の際に、各銘柄の見分けがつきにくく効率が悪かった。又、値（文字）が変化する場合に、その文字が一瞬又は数回点滅等して変化を知らせる機能が備わっていたとしても、それはユーザが指定できる機能ではなく、特に複数銘柄を同時に監視する際には、複数の箇所が点滅等した時の見分けがつきにくかった。
【０００４】
本発明は、上記の問題点を解決する為になされたものであり、価格変動の表示条件をユーザに設定させ、この表示条件に従って視覚的に価格変動の状態を把握させることが可能な画面を提示することができる証券発注サーバ及び証券発注プログラムを提供することを目的とする。
【課題を解決するための手段】
【０００５】
上記問題点を解決する為、本発明の第１の特徴は、（イ）外部より受信する株銘柄毎の情報を表す市況情報をクライアント端末に提示し、クライアント端末から要求される証券売買の発注処理を行う証券発注サーバであって、クライアント端末に提示する市況情報を表す画面のフレーム色を変化させるためのフレーム条件を記憶するフレーム条件記憶手段と、（ロ）クライアント端末にフレーム条件を設定させ、設定されたフレーム条件をフレーム条件記憶手段に格納するフレーム条件設定手段と、（ハ）外部より受信した市況情報が、フレーム条件記憶手段に格納されたフレーム条件に一致するかを判定し、フレーム条件に一致する場合、画面のフレーム色を、フレーム条件に設定されるフレーム色に変化させるフレーム条件判定手段とを備える証券発注サーバであることを要旨とする。
【０００６】
更に、本発明の第１の特徴として、（ニ）クライアント端末に提示する市況情報を表す画面の背景色を変化させるための背景条件を記憶する背景条件記憶手段と、（ホ）クライアント端末に背景条件を設定させ、設定された背景条件を背景条件記憶手段に格納する背景条件設定手段と、（ヘ）外部より受信した市況情報が、背景条件記憶手段に格納される背景条件に一致するかを判定し、背景条件に一致する場合、画面の背景色を、背景条件に設定される背景色に変化させる背景条件判定手段とを更に加えても良い。
【０００７】
本発明の第２の特徴は、（イ）外部より受信する株銘柄毎の情報を表す市況情報をクライアント端末に提示し、クライアント端末から要求される証券売買の発注処理を行うコンピュータにおいて、クライアント端末に提示する市況情報を表す画面のフレーム色を変化させるためのフレーム条件をフレーム条件記憶手段に格納する命令と、（ロ）クライアント端末にフレーム条件を設定させ、設定されたフレーム条件をフレーム条件記憶手段に格納する命令と、（ハ）外部より受信した市況情報が、フレーム条件記憶手段に格納されたフレーム条件に一致するかを判定し、フレーム条件に一致する場合、画面のフレーム色を、フレーム条件に設定されるフレーム色に変化させる命令とを実行させる証券発注プログラムであることを要旨とする。
【発明の効果】
【０００８】
本発明の証券発注サーバ及び証券発注プログラムによると、従来の値だけの表示に加え、視覚的に価格変動の状態を把握させることが可能な画面を提示することができる。更に、この価格変動の表示条件をユーザに設定させ、板画面等の価格変動の状態を通知する画面をユーザが自由にカスタマイズすることができる。
【発明を実施するための最良の形態】
【０００９】
次に、図面を参照して、本発明の実施の形態を説明する。以下の図面の記載において、同一又は類似の部分には同一又は類似の符号を付している。ただし、図面は模式的なものであることに留意すべきである。
【００１０】
（実施の形態）
（証券発注システム）
本発明の実施の形態に係る証券発注システム１００は、図１に示すように、証券発注サーバ１と、クライアント端末２ａ，２ｂ，２ｃと、Ａ証券取引所システム３と、Ｂ証券取引所システム４と、Ｃ証券取引所システム５と、市況情報配信サーバ６等を備えている。
【００１１】
クライアント端末２ａ〜２ｃは、ディーラやデイトレーダ等のユーザが、証券の売買等を行う際に、証券発注サーバ１へのアクセスに使用する端末である。クライアント端末２ａ〜２ｃは、専用端末、携帯用パーソナルコンピュータ等の通信機器を指し、入力処理用のキーボード等、株銘柄データを表示するための表示画面をそなえ、専用回線や公衆通信回線上にて証券発注サーバ１と接続可能となっている。
【００１２】
Ａ証券取引所システム３，Ｂ証券取引所システム４及びＣ証券取引所システム５は、東京証券取引所、大阪証券取引所、名古屋証券取引所等の各証券取引所で行われている実際の証券取引情報を配信するシステムである。
【００１３】
市況情報配信サーバ６は、これらＡ証券取引所システム３，Ｂ証券取引所システム４及びＣ証券取引所システム５から配信される各銘柄の始値、終値、高値及び安値等を市況情報として、証券発注サーバ１に配信する。尚、市況情報配信の間隔は数秒毎等の短いほうが好ましい。
【００１４】
証券発注サーバ１は、市況情報配信サーバ６から送信される市況情報をクライアント端末２ａ〜２ｃに配信・提示する。又、クライアント端末２ａ〜２ｃからの証券取引要求を受け付け、Ａ証券取引所システム３，Ｂ証券取引所システム４及びＣ証券取引所システム５へ対する証券発注処理等を行う。以下、証券発注サーバ１について詳細に説明する。
【００１５】
（証券発注サーバ）
証券発注サーバ１は、図２に示すように、入力装置１１、出力装置１２、通信制御装置１３、主記憶装置１４、一時記憶装置１５、処理制御装置（以下、「ＣＰＵ」と記載する）１６、市況情報記憶手段１７、フレーム条件記憶手段１８、背景条件記憶手段１９及び証券発注情報記憶手段２０等を備えている。
【００１６】
市況情報記憶手段１７は、市況情報配信サーバ６から配信される各銘柄の始値、終値、高値及び安値等を含む市況情報を格納する。
【００１７】
フレーム条件記憶手段１８は、ある銘柄の板等の株式情報を表示する画面のフレーム色を変化させるための条件を格納する。フレーム条件表は例えば図３に示すように、「条件番号（Ｎｏ．）」「対象」「動作」「色」等のデータ項目を備える。条件番号１及び２のフレーム条件が設定されていると、新たな市況情報に含まれるある銘柄の現在株価が前日比でプラスとなったらフレーム色を緑に変化させ、前日比でマイナスとなったらフレーム色を赤に変化させる。又、条件番号３及び４のフレーム条件が設定されていると、板を表示する画面の場合、板内のティック（Ｔｉｃｋ：刻み値、株価の値動きの最小単位）が現在より４つ上がったらフレーム色を黄色に変化させ、現在より４つ下がったらフレーム色を赤に変化させる。又、条件番号５，６及び７のフレーム条件が設定されていると、クライアント端末２ａ〜２ｃから発注されるユーザのポジションがロング（ｌｏｎｇ：買い）である場合はフレーム色を赤に変化させ、ポジションがショート（ｓｈｏｒｔ：売り）である場合はフレーム色を青に変化させ、ポジションが無い、つまりポジションを立ててない場合はフレーム色は無色に変化させる。又、条件番号８，９及び１０のフレーム条件が設定されていると、板の指値売り数と指値買い数を比較して、買い数より売り数の方が、例えば１０％以上多い場合、売り圧力優勢としてフレーム色を赤に変化させ、売り数より買い数の方が、例えば１０％以上多い場合、買い圧力優勢としてフレーム色を青に変化させ、売り数と買い数が同じか若しくは僅差、例えば差が１０％以内であった場合、圧力なしとしてフレーム色を無色に変化させる。これらの条件は幾つか組み合わせても構わないし、色数もユーザが一見して識別できる程度に増やして構わない。又、これらの条件はいくつかデフォルトとして設定しておき、ユーザが各人の好みに応じて条件を再設定することができるようにしておく。
【００１８】
背景条件記憶手段１９は、ある銘柄の板等の株式情報を表示する画面の背景色を変化させるための背景条件を格納する。背景条件表は例えば図４に示すように、「背景条件番号（Ｎｏ．）」「前提」「対象」「１（比較対象１）」「２（比較対象２）」「動作」「色」等のデータ項目を備える。条件番号１，２及び３の背景条件が設定されていると、新たな市況情報に含まれるある株銘柄の最新の株価である現在値（価格）が前日比と本日の高値の間である場合は背景色を緑に変化させ、現在値が本日の安値より小さい場合は背景色を赤に変化させ、現在値が本日の高値より大きい場合は背景色を青に変化させる。又、条件番号４の背景条件が設定されていると、板を表示する画面の場合、板内のティックが現在値のものより±４以内であれば、背景色を赤に変化させる。これらの条件は幾つか組み合わせても構わないし、色数もユーザが一見して識別できる程度に増やして構わない。又、これらの条件はいくつかデフォルトとして設定しておき、ユーザが各人の好みに応じて条件を再設定することができるようにしておく。
【００１９】
証券発注情報記憶手段２０は、証券取引に関わる情報、例えば証券発注において使用するデータ、画面等を格納する。
【００２０】
ＣＰＵ１６は、フレーム条件設定手段１６ａ、背景条件設定手段１６ｂ、市況情報管理手段１６ｃ、フレーム条件判定手段１６ｄ、背景条件判定手段１６ｅ、板情報作成手段１６ｆ、板画面提示手段１６ｇ及び証券発注手段１６ｈ等を備えている。ＣＰＵ１６がこれらの手段を適宜演算処理することで、プログラムは実行される。
【００２１】
フレーム条件設定手段１６ａは、デフォルトのフレーム条件、又は、ユーザの設定するフレーム条件をフレーム条件記憶手段１８に格納する。
【００２２】
背景条件設定手段１６ｂは、デフォルトの背景条件、又は、ユーザの設定する背景条件を背景条件記憶手段１９に格納する。
【００２３】
市況情報管理手段１６ｃは市況情報配信サーバ６から配信される市況情報を市況情報記憶手段１７に格納し、その管理を行う。
【００２４】
フレーム条件判定手段１６ｄは、新たな市況情報を受信後に、受信した市況情報をフレーム条件記憶手段１８に格納されるフレーム条件と比較し、フレーム条件と一致するか否かを判定する。
【００２５】
背景条件判定手段１６ｅは、新たな市況情報を受信後に、受信した市況情報を背景条件記憶手段１９に格納される背景条件と比較し、背景条件と一致するか否かを判定する。
【００２６】
板情報作成手段１６ｆは、新たな市況情報を基に、板画面として提示する為の情報、例えば指値、指値売り数、指値買い数、前日比、安値、高値等の板情報を作成し、又、フレーム条件判定手段１６ｄにて判定されたフレーム条件表に指定されるフレーム色、背景条件判定手段１６ｅにて判定された背景条件表に指定される背景色等の条件情報を作成する。
【００２７】
板画面提示手段１６ｇは、板情報作成手段１６ｆが作成する板情報や条件情報を基に、ユーザに提示する板画面を作成する。板画面は、例えば図５に示すようにユーザに提示され、画面上側には、現在値、高値、安値、前日比等が表示され、板内には売り数（指値売り数）、値段、買い数（指値買い数）等が表示される。フレーム条件にて指定される色はフレーム２１に、背景条件にて指定される色は背景２２に反映される。板情報は板２３に表示される。尚、板画面はクライアント端末２ａ〜２ｃの表示装置上に図６に示すように複数表示させることが可能である。例えば図６ではフレーム色として３色（太線枠、点線枠、透明枠）が使用され、背景色として３色（広ハッチ線背景、狭ハッチ線背景、無ハッチ線背景）が使用されている。このように、複数の株銘柄の板画面を同一画面上に表示する場合、フレームや背景で色分けした方がユーザにとって瞬時に情報を識別することが容易いことは勿論である。
【００２８】
証券発注手段１６ｈは、板画面等を基にしてユーザがある株銘柄の売買発注をする場合等に、証券発注情報記憶手段２０に格納される発注の為の情報を取得し、証券の発注処理を行う。
【００２９】
入力装置１１は、キーボード、マウス等から入力信号を受信するインタフェースである。表示装置１２は、処理結果等を出力するための装置であり、具体的には液晶ディスプレイ、ＣＲＴディスプレイ、プリンタ等を指す。フロッピー（登録商標）ディスク、ハードディスク等の外部記憶装置を介して入力されても良い。通信制御装置１３は、市況情報配信サーバ６及びクライアント端末２ａ〜２ｂ等の他装置間にてデータを送受信する為の制御信号を生成する。主記憶装置１４は、主メモリとして、処理の手順を記述したプログラムや処理されるべきデータを一時的に記憶し、ＣＰＵ１６の要請に従ってプログラムの機械命令やデータを引き渡す。また、ＣＰＵ１６で処理されたデータは主記憶装置１４に書き込まれる。主記憶装置１４とＣＰＵ１６はアドレスバス、データバス、制御信号等で結ばれている。一時記憶装置１５は、ＣＰＵ１６による演算の際に使用される作業用記憶領域である。
【００３０】
尚、本発明の実施の形態においては、証券発注サーバ１が全ての記憶手段及びプログラムを備え、クライアント端末２ａ〜２ｃに対して提示するように設計されているが、これはクライアント端末２ａ〜２ｃに備えてあっても構わない。例えば、証券発注システム１００起動時に、システム証券発注サーバ１が、クライアント端末２ａ〜２ｃに全ての記憶手段及びプログラムをインストールするように指示し、全ての記憶手段及びプログラムはクライアント端末２ａ〜２ｃにて動作するようにする。この際、システム証券発注サーバ１は適宜市況情報を配信したり、適時必要なプログラムを再インストールするよう指示したりするのみにして構わない。
【００３１】
（証券発注システムの動作）
以下、証券発注サーバ１の動作について図７のフローチャートを参照して説明する。尚、以下の動作の前提として、デフォルトのフレーム条件又はユーザの設定するフレーム条件はフレーム条件設定手段１６ａによりフレーム条件記憶手段１８に格納され、デフォルトの背景条件又はユーザの設定する背景条件は背景条件設定手段１６ｂにより背景条件記憶手段１９に格納されているものとする。
【００３２】
（ａ）まず、ステップＳ１０１において、図２の市況情報管理手段１６ｃが市況情報配信サーバ６から配信される市況情報を取得し、市況情報記憶手段１７に格納する。格納された市況情報は、板情報更新、フレームと背景の条件情報変更の基となる為、フレーム条件判定手段１６ｄ、背景条件判定手段１６ｅ、板情報作成手段１６ｆに送信される。
【００３３】
（ｂ）ステップＳ１０２において、フレーム条件判定手段１６ｄは、新たな市況情報を受信すると、受信した市況情報をフレーム条件記憶手段１８に格納されるフレーム条件と比較し、フレーム条件と一致するか否かを判定する。フレーム条件と一致する場合、ステップＳ１０３にて条件に指定されたフレーム色を一時記憶装置１５等に一時記憶する。
【００３４】
（ｃ）ステップＳ１０４において、背景条件判定手段１６ｅは、新たな市況情報を受信すると、受信した市況情報を背景条件記憶手段１９に格納される背景条件と比較し、背景条件と一致するか否かを判定する。背景条件と一致する場合、ステップＳ１０５にて条件に指定された背景色を一時記憶装置１５等に一時記憶する。
【００３５】
（ｄ）ステップＳ１０６において、板情報作成手段１６ｆは、新たな市況情報を受信すると、この市況情報より、板画面として提示する為の情報、例えば指値、指値売り数、指値買い数、前日比、安値、高値等の板情報を作成する。又、一時記憶装置１５に格納されているフレーム条件にて指定されたフレーム色、背景条件にて指定された背景色等の条件情報を作成する。板画面提示手段１６ｇは、板情報作成手段１６ｆが作成する板情報や条件情報を基に、ユーザに提示する板画面を作成し、図５に示すようにユーザに提示する。板画面はクライアント端末２ａ〜２ｃの表示装置上に図６に示すように複数表示させることが可能である。
【００３６】
（ｅ）ステップＳ１０７において、板画面等を基にしてクライアント端末２ａ〜２ｃよりある株銘柄の売買発注が依頼されたと判断されると、ステップＳ１０８において、証券発注手段１６ｈが、入力された発注依頼の情報と、証券発注情報記憶手段２０に格納される発注の為の情報を基に、証券売買の発注処理を行う。最後にステップＳ１０９において、図２の入力装置又はクライアント端末２ａ〜２ｃ等より証券発注サーバ１の処理の終了が要求されると、証券発注サーバ１による処理は停止される。
【００３７】
本発明の実施の形態に係る証券発注サーバ１及び証券発注プログラムによると、従来の値だけの表示に加え、市況情報の変化に応じて画面のフレームや背景色を変化させ、ユーザが瞬時に視覚的に価格変動の状態を把握することが可能な画面を提示することができる。更に、この価格変動の表示条件をユーザに設定させ、板画面等の価格変動の状態を通知する画面をユーザが自由にカスタマイズすることができる。
【図面の簡単な説明】
【００３８】
【図１】本発明の実施の形態に係る証券発注システムの構造を示すシステム図である。
【図２】証券発注サーバの内部構造を示す構造図である。
【図３】フレーム条件記憶手段内のフレーム条件表を示す図である。
【図４】背景条件記憶手段内の背景条件表を示す図である。
【図５】板画面を示す画面図である。
【図６】複数の板画面を示す画面図である。
【図７】証券発注サーバの動作を示すフロー図である。
【符号の説明】
【００３９】
１…証券発注サーバ
２ａ，２ｂ，２ｃ…クライアント端末
３…Ａ証券取引所システム
４…Ｂ証券取引所システム
５…Ｃ証券取引所システム
６…市況情報配信サーバ
１１…入力装置
１２…出力装置
１２…表示装置
１３…通信制御装置
１４…主記憶装置
１５…一時記憶装置
１６…ＣＰＵ
１６ａ…フレーム条件設定手段
１６ｂ…背景条件設定手段
１６ｃ…市況情報管理手段
１６ｄ…フレーム条件判定手段
１６ｅ…背景条件判定手段
１６ｆ…板情報作成手段
１６ｇ…板画面提示手段
１６ｈ…証券発注手段
１７…市況情報記憶手段
１８…フレーム条件記憶手段
１９…背景条件記憶手段
２０…証券発注情報記憶手段
２１…フレーム
２２…背景
２３…板
１００…証券発注システム
【図１】
2009271856.tif 000003
【図２】
2009271856.tif 000004
【図３】
2009271856.tif 000005
【図４】
2009271856.tif 000006
【図５】
2009271856.tif 000007
【図６】
2009271856.tif 000008
【図７】
2009271856.tif 000009